(57)【要約】【課題】感染症に対する抵抗性、殺菌効果、不活化効果の持続性、消臭効果を有するヒノキ抽出物組成物を備えた加工物を提供する。【解決手段】ヒノキまたは同属種の幹または枝から抽出して得られたヒノキ由来の溶液もしくは乾燥した粉末と、この溶液もしくは粉末に微温時に混合、混練される液状のアルコールと、グリセリンと、ｐＨ調整剤と、グリセリン脂肪酸エステルと、水とを有するヒノキ抽出物組成物を塗布、塗抹、含浸、噴霧、添加、混合して形成される。【選択図】図１
0003147463.tif 000002
【実用新案登録請求の範囲】
【請求項１】
ヒノキまたは同属種の幹または枝から抽出して得られたヒノキ由来の溶液もしくは乾燥した粉末と、この溶液もしくは粉末に微温時に混合、混練される液状のアルコールと、グリセリンと、ｐＨ調整剤と、グリセリン脂肪酸エステルと、水とを有するヒノキ抽出物組成物を塗布、塗抹、含浸、噴霧、添加、混合して形成されることを特徴とするヒノキ抽出物組成物を備えた加工物。
【請求項２】
請求項１記載のヒノキ抽出物組成物を備えた加工物において、前記ヒノキ抽出物組成物におけるヒノキ抽出物、アルコール、グリセリン、ｐＨ調整剤、グリセリン脂肪酸エステル、水の混合率が、ヒノキ抽出物０．０１〜１．０重量％、アルコール１〜９０重量％、グリセリン０．０５〜１．０重量％、ｐＨ調整剤０．１〜２．０重量％、グリセリン脂肪酸エステル０．０５〜０．５重量％、残量が水であることを特徴とするヒノキ抽出物組成物を備えた加工物。
【請求項３】
請求項２記載のヒノキ抽出物組成物を備えた加工物において、前記ヒノキ抽出物組成物が、ヒノキ抽出物０．０１重量％と、アルコール７６．３重量％と、グリセリン０．２重量％と、ｐＨ調整剤１．４重量％と、グリセリン脂肪酸エステル０．５重量％と、水２１．５９重量％とを混合、混練したものからなることを特徴とするヒノキ抽出物組成物を備えた加工物。
【請求項４】
請求項１乃至３のいずれか一つに記載のヒノキ抽出物組成物を備えた加工物において、前記加工物が、ヒノキ抽出物組成物を塗布、塗抹、含浸または噴霧した手袋、板材であることを特徴とするヒノキ抽出物組成物を備えた加工物。
【請求項５】
請求項１乃至３のいずれか一つに記載のヒノキ抽出物組成物を備えた加工物において、前記加工物が、ヒノキ抽出物組成物を添加、混合した洗剤、コーティング剤であることを特徴とするヒノキ抽出物組成物を備えた加工物。
【考案の詳細な説明】
【技術分野】
【０００１】
この考案は、感染症に対する抵抗性、殺菌効果、不活化の持続性、消臭効果を有するヒノキ抽出物組成物を備えた加工物に関するものである。
【背景技術】
【０００２】
一般に、ヒノキ科ヒバの樹種としては、サワラ、ヒバ（アスナロ）、クロベ、ビャクシン、コノテガシラ、イトスギ、アラスカヒノキ、タイワンヒノキ等が挙げられる。そして、ヒバは、独特の芳香（ヒノキチオール）を有し、昔から消毒や食品の保存に利用されている。
【０００３】
ヒノキ又は同属種のヒノキ抽出物を利用したものとしては、アセロラ種子抽出物と保湿剤としてヒノキ抽出物などを含有し、美白効果、保湿効果、老化防止効果を有する組成物（例えば、特許文献１参照）や、カムカム抽出物と保湿剤としてヒノキ抽出物などを含有する皮膚外用剤（例えば、特許文献２参照）や、アセロラ抽出物と、細胞賦活剤及び／又は保湿剤としてヒノキ抽出物などを含有する皮膚外用剤（例えば、特許文献３参照）や、イソチオシアン酸化化合物、ヒノキ抽出物及び静菌性植物油から選ばれた１種の静菌成分並びに界面活性剤を配合する鮮度保持剤（例えば、特許文献４参照）が知られている。
【特許文献１】特開２００５−２２００８４号公報
【特許文献２】特開２０００−３２７５５２号公報
【特許文献３】特開２０００−２１２０２７号公報
【特許文献４】特開平９−２１５４８５号公報
【考案の開示】
【考案が解決しようとする課題】
【０００４】
前述したヒノキから得られたヒノキ抽出物は、天然由来であることから、安全に使用でき、保湿剤や静菌成分として注目され、その要求が増えつつある。しかしながら、いずれの従来例も、ヒノキ抽出物単体での効果を示すものではなく、かつ、ヒノキ抽出物単体を主剤とした具体的な開示例は認められない。
【０００５】
本考案は、このような点に鑑みてなされたもので、感染症に対する抵抗性、殺菌効果、不活化効果の持続性、消臭効果を有するヒノキ抽出物組成物を備えた加工物を提供するものである。
【課題を解決するための手段】
【０００６】
本考案は、ヒノキまたは同属種の幹または枝から抽出して得られたヒノキ由来の溶液もしくは乾燥した粉末と、この溶液もしくは粉末に微温時に混合、混練される液状のアルコールと、グリセリンと、ｐＨ調整剤と、グリセリン脂肪酸エステルと、水とを有するヒノキ抽出物組成物を塗布、塗抹、含浸、噴霧、添加、混合して形成されることを特徴とするものである。
【０００７】
本考案によれば、ヒノキ抽出物組成物を付着性および浸透性を有する加工物に塗布、塗抹、含浸、噴霧、添加、混合して使用することにより、ヒノキ抽出物組成物に含有されるツヤプリシンの殺菌作用によって感染症に対する抵抗性、殺菌効果、不活化の持続性、消臭効果を改善することができる。
【０００８】
本考案において、前記ヒノキ抽出物組成物におけるヒノキ抽出物、アルコール、グリセリン、ｐＨ調整剤、グリセリン脂肪酸エステル、水の混合率が、ヒノキ抽出物０．０１〜１．０重量％、アルコール１〜９０重量％、グリセリン０．０５〜１．０重量％、ｐＨ調整剤０．１〜２．０重量％、グリセリン脂肪酸エステル０．０５〜０．５重量％、残量が水であることが好ましい。
【０００９】
ヒノキ抽出物が０．０１重量％未満であると、効果を安定的に望めず、また、１．０重量％を超えると、ヒノキ抽出物組成物が不安定となる。
【００１０】
アルコールが１重量％未満であると、効果を安定的に望めず、また、９０重量％を超えると、ヒノキ抽出物組成物が不安定となる。
【００１１】
グリセリンが０．０５重量％未満であると、効果を安定的に望めず、また、１．０重量％を超えると、ヒノキ抽出物組成物が不安定となる。
【００１２】
ｐＨ調整剤が０．１重量％未満であると、効果を安定的に望めず、また、２．０重量％を超えると、ヒノキ抽出物組成物が不安定となる。
【００１３】
グリセリン脂肪酸エステルが０．０５重量％未満であると、効果を安定的に望めず、また、０．５重量％を超えると、ヒノキ抽出物組成物が不安定となる。
【００１４】
したがって、本考案においては、前記ヒノキ抽出物組成物が、ヒノキ抽出物０．０１重量％と、アルコール７６．３重量％と、グリセリン０．２重量％と、ｐＨ調整剤１．４重量％と、グリセリン脂肪酸エステル０．５重量％と、水２１．５９重量％とを混合、混練したものからなることが好ましい。
【００１５】
本考案において、前記加工物が、ヒノキ抽出物組成物を塗布、塗抹、含浸または噴霧した手袋、板材であることが好ましい。
【００１６】
本考案において、前記加工物が、ヒノキ抽出物組成物を添加、混合した洗剤、コーティング剤であることが好ましい。
【考案の効果】
【００１７】
本考案によれば、加工物の感染症に対する抵抗性、殺菌効果、不活化効果の持続性、消臭効果を改善することができる。
【考案を実施するための最良の形態】
【００１８】
以下、本考案の実施の形態を図面に基づいて説明する。
【００１９】
本考案のヒノキ抽出物組成物は、ヒノキ由来の抽出物に、微温時にアルコール、グリセリン、ｐＨ調整剤、グリセリン脂肪酸エステル、水を混合、混練して得られる。
【００２０】
ヒノキ由来の抽出物は、ヒノキまたは同属種の幹および枝から抽出して得られ、得られた溶液は透明であり、また、乾燥した粉末は白色である。また、ヒノキ抽出物は、成分としてツヤプリシンを含み、ツヤプリシンには殺菌効果を有することが知られている。
【００２１】
ヒノキ抽出物を混合する液体としては、各種の液体から、ヒノキ抽出物と最も親和性、親水性があることにより、アルコール、好ましくは、エチルアルコールとグリセリンが挙げられる。
【００２２】
エチルアルコールは、天然のとうもろこしから発酵することによって得られ、食品、医薬品、化粧品としては既知の無害のものである。
【００２３】
グリセリンは、天然のヤシから発酵することによって得られ、食品、医薬品、化粧品としては既知の無害のものである。
【００２４】
エチルアルコールとグリセリンにヒノキ抽出物を混入することにより、ヒノキ抽出物組成物が得られる。この場合のエチルアルコールとグリセリンの混合率としては、ヒノキ抽出物０．０１重量％に対して、エチルアルコール７６．３重量％、グリセリン０．２重量％が一つの目安として挙げられるが、エチルアルコール、グリセリンは比較的安価であり、上限として９０重量％を使用可能である。
【００２５】
なお、ヒノキ抽出物は、０．０１重量％以上使用してもよいが、ヒノキ抽出物の産出量と価格からみて、１．０重量％を超える使用は合目的的ではないものとなる。
【００２６】
ヒノキ抽出物組成物の液状体の安定化を図るために、ｐＨ調整剤、グリセリン脂肪酸エステル、水が使用される。ｐＨ調整剤としては、リンゴ酸、乳酸、乳酸ナトリウムが、グリセリン脂肪酸エステルとしては、モノラウリン酸グリセリルがそれぞれ実験的には最良であったが、この限りではない。
【００２７】
これらのヒノキ抽出物組成物は、各組成物の重量％を変えて実験したところ、具体的には、図１に示す混合率が挙げられる。すなわち、図１において、ヒノキ抽出物組成物１は、ヒノキ抽出物２が０．０１重量％、エチルアルコール３が７６．３重量％、グリセリン４が０．２重量％、ｐＨ調整剤５が１．４重量％、グリセリン脂肪酸エステル６が０．５重量％、残量が水７で２１．５９重量％を混合混練して得られる。このようにして得られたヒノキ抽出物組成物１は、透明な液状体であり、ｐＨが４．５〜５．５である。
【００２８】
このようにして得られたヒノキ抽出物組成物１は、図２に示すように、例えば、手袋１１に適用される。手袋１１の材質としては、ビニール、布、ゴムなどが挙げられるが、ヒノキ抽出物組成物１が噴霧、塗布、塗抹、含浸の何れかの方法により一定期間その表面や内部に付着して保管可能なものである。
【００２９】
手袋以外にも、マスクなどにも使用することができる他、食品や医薬品、化粧品に使用することもできる。
【００３０】
また、ヒノキ抽出物組成物１は、図３に示すように、板材１２に適用される。板材１２の材質としては、木材、プラスチックなどが挙げられるが、ヒノキ抽出物組成物１が噴霧、塗布、塗抹、含浸の何れかの方法により一定期間その表面や内部に付着して保管可能なものである。板材以外には、紙などにも使用可能である他、建築資材、家具材に含有させることもできる。
【００３１】
さらに、ヒノキ抽出物組成物１は、図４に示すように、加工物として、食器用洗剤、住居用洗剤、洗濯洗剤などの洗剤１３に適用することもできる。ヒノキ抽出物組成物１は、添加、混合の何れかの方法により洗剤１３に保管される。洗剤１３以外に、ワックスなどのコーティング剤に含有させることもできる。
【図面の簡単な説明】
【００３２】
【図１】本考案のヒノキ抽出物組成物を備えた加工物におけるヒノキ抽出物組成物の混合率の一例を示す模式図である。
【図２】本考案のヒノキ抽出物組成物を備えた加工物の一例としての手袋の概略図である。
【図３】本考案のヒノキ抽出物組成物を備えた加工物の他例としての板材の概略図である。
【図４】本考案のヒノキ抽出物組成物を備えた加工物のもう一つの例としての洗剤の概略図である。
【符号の説明】
【００３３】
１  ヒノキ抽出物組成物
２  ヒノキ抽出物
３  エチルアルコール
４  グリセリン
５  ｐＨ調整剤
６  グリセリン脂肪酸エステル
７  水
１１  手袋
１２  板材
１３  洗剤
【図１】
0003147463.tif 000003
【図２】
0003147463.tif 000004
【図３】
0003147463.tif 000005
【図４】
0003147463.tif 000006
【手続補正書】
【提出日】平成20年10月27日(2008.10.27)
【手続補正１】
【補正対象書類名】実用新案登録請求の範囲
【補正対象項目名】全文
【補正方法】変更
【補正の内容】
【実用新案登録請求の範囲】
【請求項１】
ヒノキまたは同属種の幹または枝から抽出して得られたヒノキ由来の溶液もしくは乾燥した粉末と、この溶液もしくは粉末に微温時に混合、混練される液状のアルコールと、グリセリンと、ｐＨ調整剤と、グリセリン脂肪酸エステルと、水とを有するヒノキ抽出物組成物を塗布、塗抹、含浸、噴霧して形成されることを特徴とする手袋。
【請求項２】
請求項１記載の手袋において、前記ヒノキ抽出物組成物におけるヒノキ抽出物、アルコール、グリセリン、ｐＨ調整剤、グリセリン脂肪酸エステル、水の混合率が、ヒノキ抽出物０．０１〜１．０重量％、アルコール１〜９０重量％、グリセリン０．０５〜１．０重量％、ｐＨ調整剤０．１〜２．０重量％、グリセリン脂肪酸エステル０．０５〜０．５重量％、残量が水であることを特徴とする手袋。
【請求項３】
請求項２記載の手袋において、前記ヒノキ抽出物組成物が、ヒノキ抽出物０．０１重量％と、アルコール７６．３重量％と、グリセリン０．２重量％と、ｐＨ調整剤１．４重量％と、グリセリン脂肪酸エステル０．５重量％と、水２１．５９重量％とを混合、混練したものからなることを特徴とする手袋。
【手続補正３】
【補正対象書類名】明細書
【補正対象項目名】０００１
【補正方法】変更
【補正の内容】
【０００１】
この考案は、ヒノキ抽出物組成物による感染症に対する抵抗性、殺菌効果、不活化の持続性、消臭効果を有する手袋に関するものである。
【手続補正４】
【補正対象書類名】明細書
【補正対象項目名】０００５
【補正方法】変更
【補正の内容】
【０００５】
本考案は、このような点に鑑みてなされたもので、ヒノキ抽出物組成物による感染症に対する抵抗性、殺菌効果、不活化効果の持続性、消臭効果を有する手袋を提供するものである。
【手続補正５】
【補正対象書類名】明細書
【補正対象項目名】０００６
【補正方法】変更
【補正の内容】
【０００６】
本考案は、ヒノキまたは同属種の幹または枝から抽出して得られたヒノキ由来の溶液もしくは乾燥した粉末と、この溶液もしくは粉末に微温時に混合、混練される液状のアルコールと、グリセリンと、ｐＨ調整剤と、グリセリン脂肪酸エステルと、水とを有するヒノキ抽出物組成物を塗布、塗抹、含浸、噴霧して形成されることを特徴とするものである。
【手続補正６】
【補正対象書類名】明細書
【補正対象項目名】０００７
【補正方法】変更
【補正の内容】
【０００７】
本考案によれば、ヒノキ抽出物組成物を付着性および浸透性を有する手袋に塗布、塗抹、含浸、噴霧して使用することにより、ヒノキ抽出物組成物に含有されるツヤプリシンの殺菌作用によって感染症に対する抵抗性、殺菌効果、不活化の持続性、消臭効果を改善することができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００３２
【補正方法】変更
【補正の内容】
【００３２】
【図１】本考案の手袋を形成するヒノキ抽出物組成物の混合率の一例を示す模式図である。
【図２】本考案の手袋の概略図である。
【図３】ヒノキ抽出物組成物を備えた板材の概略図である。
【図４】ヒノキ抽出物組成物を備えた洗剤の概略図である。